(57)【要約】  受信装置は、第１受信部と、第２受信部と、制御部とを備える。第１受信部は、第１アンテナ端子から供給された信号を増幅して出力する第１高周波増幅器と、第１発振信号を出力する第１局部発信器と、第１発振信号を用いて第１高周波増幅器から出力された信号を周波数変換して出力する第１混合器とを有する。第２受信部は、第２アンテナ端子から供給された信号を増幅して出力する第２高周波増幅器と、第２発振信号を出力する第２局部発信器と、第２発振信号を用いて第２高周波増幅器から出力された信号を周波数変換して出力する第２混合器とを有する。制御部は、第１受信部を動作させかつ第２受信部を動作させるダイバシティ受信モードと、第１受信部を動作させて第２受信部を動作させないシングル受信モードとを切り替える。制御部は、シングル受信モードにおいて、第１混合器は第２発振信号を用いて第１高周波増幅器から出力された信号を周波数変換して出力させる。この受信装置は高い受信品質を有する。
2008072451.tif 000002
【特許請求の範囲】
【請求項１】
希望周波数の信号を受信する第１アンテナ素子が結合するよう構成された第１アンテナ端子と、
前記第１アンテナ端子から供給された信号を増幅して出力する第１高周波増幅器と、
第１発振信号を出力する第１局部発信器と、
前記第１発振信号を用いて第１高周波増幅器から出力された前記信号を周波数変換して出力する第１混合器と、
を有する第１受信部と、
前記希望周波数の前記信号を受信する第２アンテナ素子が結合するよう構成された第２アンテナ端子と、
前記第２アンテナ端子から供給された信号を増幅して出力する第２高周波増幅器と、
第２発振信号を出力する第２局部発信器と、
前記第２発振信号を用いて第２高周波増幅器から出力された前記信号を周波数変換して出力する第２混合器と、
を有する第２受信部と、
前記第１混合器が出力する前記信号と前記第２混合器が出力する前記信号とを合成する合成部と、
前記第１受信部を動作させかつ前記第２受信部を動作させるダイバシティ受信モードと、前記第１受信部を動作させて前記第２受信部を動作させない第１シングル受信モードとを切り替え、
前記第１シングル受信モードにおいて、前記第１混合器は前記第２発振信号を用いて前記第１高周波増幅器から出力された前記信号を周波数変換して出力させる、
ように動作する制御部と、
を備えた受信装置。
【請求項２】
前記第１アンテナ素子には妨害信号が入力され、
前記制御部は、
前記第１シングル受信モードにおいて、前記希望周波数が前記妨害信号の周波数と前記第２発振信号の周波数との差から所定範囲内の周波数である場合に、前記第１混合器は前記第２発振信号を用いて前記第１高周波増幅器から出力された前記信号を周波数変換して出力させ、
前記第１シングル受信モードにおいて、前記希望周波数が前記妨害信号の前記周波数と前記第２発振周波数との差から所定範囲外の周波数である場合に、前記第１混合器は前記第１発振信号を用いて前記第１高周波増幅器から出力された前記信号を周波数変換して出力させる、
ように動作する、請求項１に記載の受信装置。
【請求項３】
前記制御部は、
前記ダイバシティ受信モードと、前記第１シングル受信モードと、前記第２受信部を動作させて前記第１受信部を動作させない第２シングル受信モードとを切り替え、
前記第２シングル受信モードにおいて、前記第２混合器は前記第１発振信号を用いて前記第２高周波増幅器から出力された前記信号を周波数変換して出力させる、
ように動作する請求項１に記載の受信装置。
【請求項４】
前記第１アンテナ素子には、前記第１発振信号の周波数と前記希望周波数との和若しくは差から所定範囲内の周波数の妨害信号が入力され、
前記第１アンテナ素子と前記第１高周波増幅器との間に接続されて前記妨害信号を減衰させる第１入力フィルタをさらに備えた、請求項１に記載の受信装置。
【請求項５】
前記第１入力フィルタは表面弾性波フィルタである、請求項４に記載の受信装置。
【請求項６】
前記第１受信部及び前記第２受信部がそれぞれ形成された個別の集積回路をさらに備えた、請求項１に記載の受信装置。
【請求項７】
前記第１受信部及び前記第２受信部が形成された集積回路をさらに備えた、請求項１に記載の受信装置。
【請求項８】
請求項１に記載の受信装置と、
前記合成部が出力する信号を処理する信号処理部と、
を備えた電子機器。
【請求項９】
希望周波数の信号を受信する第１アンテナ素子が結合するよう構成された第１アンテナ端子と、
前記第１アンテナ端子から供給された信号を増幅して出力する第１高周波増幅器と、
第１発振信号を出力する第１局部発信器と、
前記第１発振信号を用いて第１高周波増幅器から出力された前記信号を周波数変換して出力する第１混合器と、
を有する第１受信部と、
前記第１アンテナ素子と前記第１高周波増幅器との間に接続された第１入力フィルタと、
前記希望周波数の前記信号を受信する第２アンテナ素子が結合するよう構成された第２アンテナ端子と、
前記第２アンテナ端子から供給された信号を増幅して出力する第２高周波増幅器と、
第２発振信号を出力する第２局部発信器と、
前記第２発振信号を用いて第２高周波増幅器から出力された前記信号を周波数変換して出力する第２混合器と、
を有する第２受信部と、
前記第１混合器が出力する前記信号と前記第２混合器が出力する前記信号とを合成する合成部と、
前記第１受信部を動作させかつ前記第２受信部を動作させるダイバシティ受信モードと、前記第１受信部を動作させて前記第２受信部を動作させない第１シングル受信モードとを切り替え、
前記ダイバシティ受信モードにおいて、前記第１混合器は前記第１発振信号を用いて前記第１高周波増幅器から出力された前記信号を周波数変換して出力させて、かつ前記第２混合器は前記第１発振信号を用いて前記第２高周波増幅器から出力された前記信号を周波数変換して出力させる、
ように動作する制御部と、
を備え、
前記第１アンテナ素子には前記第１発振信号の周波数と前記希望周波数との和若しくは差から所定範囲内の周波数の妨害信号が入力され、
前記第１の入力フィルタは前記妨害信号を減衰させる、
受信装置。
【請求項１０】
前記第１入力フィルタは表面弾性波フィルタからなる、請求項９に記載の受信装置。
【請求項１１】
前記第２アンテナ素子と前記第２高周波増幅器との間に接続された第２入力フィルタをさらに備え、
前記妨害信号の前記周波数において、前記第１入力フィルタの信号減衰量は前記第２入力フィルタの信号減衰量より大きい、請求項９に記載の受信装置。
【請求項１２】
前記第１入力フィルタは表面弾性波フィルタからなる、請求項１１に記載の受信装置。
【請求項１３】
前記第２入力フィルタは低温同時焼成セラミックフィルタまたはディスクリートフィルタからなる、請求項１１に記載の受信装置。
【請求項１４】
前記第１入力フィルタは前記第１受信部に内蔵されている、請求項９に記載の受信装置。
【請求項１５】
前記第１受信部及び前記第２受信部がそれぞれ形成された個別の集積回路をさらに備えた、請求項９に記載の受信装置。
【請求項１６】
前記第１受信部及び前記第２受信部が形成された集積回路をさらに備えた、請求項９に記載の受信装置。
【請求項１７】
請求項９に記載の受信装置と、
前記合成部が出力する信号を処理する信号処理部と、
を備えた電子機器。
【請求項１８】
請求項１０に記載の受信装置と、
前記合成部が出力する信号を処理する信号処理部と、
を備えた電子機器。
【発明の詳細な説明】
【技術分野】
【０００１】
本発明は、希望周波数の信号を受信する受信装置と、これを用いた電子機器に関する。
【背景技術】
【０００２】
図３は特許文献１に記載されている従来の受信装置１のブロック図である。受信装置１は、第１受信部２と第２受信部３とを備える。第１受信部２は、第１アンテナ端子４と、第１アンテナ端子４に接続された入力端を有する第１高周波増幅器５と、第１高周波増幅器５の出力端に接続された一方の入力端を有する第１混合器６と、第１混合器６の他の入力端に接続された第１局部発振器７とを有する。第２受信部３は、第２アンテナ端子８と、第２アンテナ端子８に接続された入力端を有する第２高周波増幅器９と、第２高周波増幅器９の出力端に接続された一方の入力端を有する第２混合器１１０と、第２混合器１１０の他の入力端に接続された第２局部発振器１１１とを有する。【０００３】
従来の受信装置１では、移動受信によるフェージングの影響等により受信状態が所定レベルより悪くなった場合には、第１受信部２と第２受信部３との双方を用いて信号を受信するダイバシティ受信モードになる。受信状態が安定し所定レベルより良い場合には、第１受信部２と第２受信部３のいずれか一方を用いて信号を受信するシングル受信モードになる。これにより、受信装置１では、移動受信により受信状態の悪い場合にも高感度を確保することができ、かつ受信状態が良い場合には、一方の受信部をオフすることができ、消費電力を低減することができる。【０００４】
受信装置１の第１受信部２を用いたシングル受信モードにおいて、第１混合器６は、第１局部発振器７から出力された発振信号を用いて第１アンテナ端子４からの希望周波数の信号を中間周波数の信号に変換する。発振周波数と希望周波数との和若しくは差から所定範囲内の近接した周波数の妨害信号が第１アンテナ端子４から入力される場合がある。この場合には、第１高周波増幅器５と第１局部発振器７のアイソレーションが十分確保出来ていないと、第１高周波増幅器５で妨害信号と第１局部発振器７から輻射された発振周波数のノイズとが混合し希望周波数近傍に歪み信号が発生し、受信品質が劣化という問題が起こる。【０００５】
最近では受信装置１の小型化が強く要望されており、第１受信部２や第２受信部３が小型多層基板にモジュール化され、または小型半導体パッケージ内に集積化される。したがって、第１高周波増幅器５と第１局部発振器７のアイソレーションを確保するのが困難になっており、上記の問題が発生しやすい。【０００６】
図４は特許文献１に記載されている他の従来の受信装置１０１のブロック図である。受信装置１０１は第１受信部１０２と第２受信部１０３とを備える。第１受信部１０２は、第１アンテナ端子１０４と、第１アンテナ端子１０４に接続された入力端を有する第１高周波増幅器１０５と、第１高周波増幅器１０５の出力端に接続された一方の入力端を有する第１混合器１０６と、第１混合器１０６の他の入力端に接続された第１局部発振器１０７とを有する。第２受信部１０３は、第２アンテナ端子１０８と、第２アンテナ端子１０８に接続された入力端を有する第２高周波増幅器１０９と、第２高周波増幅器１０９の出力端に接続された一方の入力端を有する第２混合器１０と、第２混合器１０の他の入力端に接続されると共に第１混合器１０６の他の入力端にも接続された第２局部発振器１１とを有する。【０００７】
第１受信部１０２と第２受信部１０３とを用いて信号を受信するダイバシティ受信モードにおいて、第１混合器１０６は第１局部発振器１０７から出力された発振信号を用いて高周波増幅器１０５から入力された信号を周波数変換し、第２混合器１１０は、第１局部発振器１０７から出力された発振信号を用いて高周波増幅器１０９から入力された信号を周波数変換する。第２受信部１０３においては、第１局部発振器１０７を受信部１０２と共用しているので、第２局部発振器１１１の電源をオフすることがで、受信装置１０１のダイバシティ受信モードにおける消費電力を低減できる。【０００８】
受信装置１０１において、発振周波数と希望周波数との和若しくは差から所定範囲内の近接した周波数の妨害信号が第１アンテナ端子１０４から入力される場合がある。この場合、第１高周波増幅器１０５と第１局部発振器１０７のアイソレーションが十分確保出来ていないと、第１高周波増幅器１０５において、妨害信号と第１局部発振器１０７から輻射された発振周波数のノイズとが混合し希望周波数近傍に歪み信号が発生し、受信品質が劣化するという問題がある。【０００９】
最近では受信装置１０１の小型化が強く要望されており、第１受信部１０２や第２受信部１０３が小型多層基板にモジュール化され、または小型半導体パッケージ内に集積化される。したがって、第１高周波増幅器１０５と第１局部発振器１０７のアイソレーションを確保するのが困難になっており、上記の問題が発生しやすい。
【特許文献１】特開２００５−１３０２７９号公報
【発明の開示】
【００１０】
受信装置は、第１受信部と、第２受信部と、制御部とを備える。第１受信部は、第１アンテナ端子から供給された信号を増幅して出力する第１高周波増幅器と、第１発振信号を出力する第１局部発信器と、第１発振信号を用いて第１高周波増幅器から出力された信号を周波数変換して出力する第１混合器とを有する。第２受信部は、第２アンテナ端子から供給された信号を増幅して出力する第２高周波増幅器と、第２発振信号を出力する第２局部発信器と、第２発振信号を用いて第２高周波増幅器から出力された信号を周波数変換して出力する第２混合器とを有する。制御部は、第１受信部を動作させかつ第２受信部を動作させるダイバシティ受信モードと、第１受信部を動作させて第２受信部を動作させないシングル受信モードとを切り替える。制御部は、シングル受信モードにおいて、第１混合器は第２発振信号を用いて第１高周波増幅器から出力された信号を周波数変換して出力させる。
【００１１】
この受信装置は高い受信品質を有する。
【図面の簡単な説明】
【００１２】
【図１】図１は本発明の実施の形態１における受信装置のブロック図である。
【図２】図２は本発明の実施の形態２における受信装置のブロック図である。
【図３】図３は従来の受信装置のブロック図である。
【図４】図４は他の従来の受信装置のブロック図である。
【符号の説明】
【００１３】
１２    受信装置
１５    第１受信部
１８    第２受信部
２０    第１アンテナ端子
２１    第１高周波増幅器
２２    第１混合器
２６    第１局部発振器
２８    第２アンテナ端子
２９    第２高周波増幅器
３０    第２混合器
３４    第２局部発振器
３８    合成部
１１２    受信装置
１１５    第１受信部
１１８    第２受信部
１２０    第１アンテナ端子
１２１    第１高周波増幅器
１２２    第１混合器
１２６    第１局部発振器
１２８    第２アンテナ端子
１２９    第２高周波増幅器
１３０    第２混合器
１３４    第２局部発振器
１３８    合成部
【発明を実施するための最良の形態】
【００１４】
（実施の形態１）
図１は本発明の実施の形態１における受信装置１２を備えた電子機器１００１のブロック図である。受信装置１２は、第１アンテナ素子１３と、第２アンテナ素子１６と、第１入力フィルタ１４と、第２入力フィルタ１７と、第１受信部１５と、第２受信部１８と、復調回路１９とを備える。復調回路１９はＬＳＩで構成されている。第１アンテナ素子１３は複数チャンネルを有するテレビ・ラジオ放送波を受信する。第１フィルタ１４の入力端１４Ａには第１アンテナ素子１３が接続される。第１フィルタ１４の出力端１４Ｂは第１受信部１５に接続され、第１受信部１５は複数のチャンネルのうち希望周波数の特定チャンネルを選局する。第２アンテナ素子１６は複数チャンネルを有するテレビ・ラジオ放送波を受信する。第２入力フィルタ１７の入力端１７Ａには第２アンテナ素子１６が接続される。第２入力フィルタ１７の出力端１７Ｂは第２受信部１８に接続され、第２受信部１６は複数のチャンネルのうち希望周波数の特定チャンネルを選局する。第１受信部１５の第１出力端子２５と第２受信部１８の第２出力端子３３は復調回路１９に接続されている。受信装置１２は、第１受信部１５と第２受信部１８とで希望周波数の信号を受信するダイバシティ受信モードと第１受信部１５と第２受信部１８のうちのいずれか一方のみで希望周波数の信号を受信するシングル受信モードとを切り替えることができる。電子機器１００１は、受信装置１２と、復調回路１９の出力端１９Ｂに接続された入力端５１Ａを有する信号処理部５１と、信号処理部５１の出力端５１Ｂに接続された表示部５２とを備える。第１アンテナ素子１３と第２アンテナ素子１６とは指向性等の特性が異なっていてもよい。【００１５】
第１受信部１５の構成を説明する。第１アンテナ端子２０は第１入力フィルタ１４の出力端１４Ｂに接続されており、すなわち第１入力フィルタ１４を介して第１アンテナ素子１３に結合するよう構成されている。第１アンテナ端子２０はトランジスタ回路を有する第１高周波増幅器２１の入力端２１Ａに接続されている、第１高周波増幅器２１の出力端２１Ｂは第１混合器２２の第１入力端２２Ａに接続されている。第１局部発振器２６が出力する発振信号は第１分周器２７の入力端２７Ａに入力され、第１分周器２７によりその周波数が分周されて、第１混合器２２の第２入力端２２Ｃに供給される。第１混合器２２は、第２入力端２２Ｃに入力された発振信号を用いて、第１入力端２２Ａから入力された希望周波数の信号を例えば５００ｋＨｚ帯の中間周波数の信号に変換して出力端２２Ｂから出力する。第１混合器２２の出力端２２Ｂは第１帯域制限フィルタ２３の入力端２３Ａに入力される。第１帯域制限フィルタ２３の出力端２３Ｂには第１中間周波増幅器２４の入力端２４Ａが接続されている。第１中間周波増幅器２４の出力端２４Ｂは第１出力端子２５に接続されている。【００１６】
第２受信部１８の構成を説明する。第２アンテナ端子２８は第２入力フィルタ１７の出力端１７Ｂに接続されており、すなわち第２入力フィルタ１７を介して第２アンテナ素子１６に結合するよう構成されている。第２アンテナ端子２８はトランジスタ回路を有する第２高周波増幅器２９の入力端２９Ａに接続されている、第２高周波増幅器２９の出力端２９Ｂは第２混合器３０の第１入力端３０Ａに接続されている。第２局部発振器３４が出力する発振信号は第２分周器３５の入力端３５Ａに入力され、第２分周器３５によりその周波数が分周されて、第２混合器３０の第２入力端３０Ｃに供給される。第２混合器３０は、第２入力端３０Ｃに入力された発振信号を用いて、第１入力端３０Ａから入力された希望周波数の信号を例えば５００ｋＨｚ帯の中間周波数の信号に変換して出力端３０Ｂから出力する。第２混合器３０の出力端３０Ｂは第２帯域制限フィルタ３１の入力端３１Ａに入力される。第２帯域制限フィルタ３１の出力端３１Ｂには第２中間周波増幅器３２の入力端３２Ａが接続されている。第２中間周波増幅器３２の出力端３２Ｂは第２出力端子３３に接続されている。【００１７】
第１局部発振器２６に比べて第２局部発振器３４は第１高周波増幅器２１に対する大きなアイソレーションを有する。また、第２局部発振器３４に比べて第１局部発振器２６は第２高周波増幅器２９に対する大きなアイソレーションを有する。【００１８】
復調回路１９は、第１受信部１５の出力端子２５に接続された入力端３９Ａを有する第１復調部３９と、第２受信部１８の第２出力端子３３に接続された入力端４０Ａを有する第２復調部４０と、第１復調部３９の出力端３９Ｂと第２復調部４０の出力端４０Ｂに接続された合成部３８と、合成部３８と第１スイッチ３６と第２スイッチ３７を制御する制御部５３とを有する。第１復調部３９は第１受信部１５が出力する信号を復調して復調信号を出力する。第２復調部４０は第２受信部１８が出力する信号を復調して復調信号を出力する。合成部３８は復調部３９、４０が出力した復調信号を合成して信号処理部５１に出力する。信号処理部５１は合成部３８が出力する信号を処理し、表示部５２は処理された信号を基に画像と音声を出力する。【００１９】
第１局部発振器２６と第１分周器２７との間には第１スイッチ３６が接続されている。第１スイッチ３６は、第１局部発振器２６から出力される発振信号と第２局部発振器３４から出力される発振信号とを切り替えて選択的に第１分周器２７の入力端２７Ａに供給する。第２局部発振器３４と第２分周器３５との間には第２スイッチ３７が接続されている。第２スイッチ３７は、第２局部発振器３４から出力される発振信号を第１分周器２７の入力端２７Ａと第２分周器３５の入力端３５Ａとに切り替えて選択的に供給する。【００２０】
以下、実施の形態１による受信装置１２を備えた電子機器１００１の動作について説明する。【００２１】
制御部５３は、合成部３８の出力端３８Ｂから出力される復調信号のＣａｒｒｉｅｒ  Ｔｏ  Ｎｏｉｓｅ（ＣＮ）比またはＢｉｔ  Ｅｒｒｏｒ  Ｒａｔｅ（ＢＥＲ）等の受信状態を示すパラメータを検出する。【００２２】
受信状態が所定レベルより悪いことを検出されたパラメータが示している場合に、制御部５３は合成部３８に第１受信部１５の出力する信号と第２受信部１８の出力する信号とを合成して信号処理部５１に供給させ、受信装置１２は第１受信部１５と第２受信部１８の双方を動作させるダイバシティ受信モードとなる。このダイバシティ受信モードにおいて、制御部５３はスイッチ３６、３７を制御して、第１局部発振器２６から出力される発振信号を第１分周器２７に供給し、第２局部発振器３４から出力される発振信号を第２分周器３５に供給する。したがって、第１混合器２２は第１局部発振器２６から出力される発振信号を用いて第１高周波増幅器２１から出力される信号を周波数変換し、第２混合器３０は第２局部発振器３４から出力される発振信号を用いて第２高周波増幅器２９から出力される信号を周波数変換する。【００２３】
受信状態が所定レベルより良いことを検出されたパラメータが示している場合に、制御部５３は合成部３８に第１受信部１５の出力する信号を信号処理部５１に供給させ、第２受信部１８の出力する信号を信号処理部５１に供給させず、受信装置１２はシングル受信モードとなる。このシングル受信モードにおいて、制御部５３はスイッチ３６、３７を制御して、第２局部発振器３４から出力される発振信号を第１分周器２７に供給する。したがって、第１混合器２２は、第２局部発振器３４から出力される発振信号を用いて第１高周波増幅器２１から出力される信号を周波数変換する。さらに、このシングル受信モードでは、制御部５３は第１局部発振器２６と、第２受信部１８の第２局部発振器３４以外の構成部分例えば第２高周波増幅器２９と第２分周器３５と第２混合器３０と第２中間周波増幅器３２をオフにして、受信装置１２の消費電力を低減することができる。【００２４】
第２局部発振器３４と第１高周波増幅器２１とがそれぞれ互いに異なる第１受信部１５と第２受信部１８に存在している。第１局部発振器２６に比べて第２局部発振器３４は第１高周波増幅器２１から大きなアイソレーションが確保できる。第１受信部１５を動作させ第２受信部１８を動作させないシングル受信モードにおいて、第２局部発振器３４の発振信号の周波数と希望周波数との和若しくは差から所定範囲内の周波数の妨害信号が第１アンテナ端子２０から入力されたとしても、第１高周波増幅器２１においてこの妨害信号と第２局部発振器３４から輻射された発振信号の周波数のノイズとが混合することを抑制することができる。その結果、第１高周波増幅器２１における希望周波数近傍の歪み信号の発生が抑制され、受信装置１２の受信品質を向上させることができる。【００２５】
受信する希望周波数Ｆｄとその帯域幅Ｂｗ、第１混合器２２から出力される中間周波数ＩＦと第１分周器２７の分周比Ｎにより局部発振器３４の発振信号の周波数ＦＯは以下の式で表される。【００２６】
ＦＯ＝Ｎ×（Ｆｄ±ＩＦ）
このとき、妨害信号の周波数ＦＩは以下で表される。【００２７】
ＦＩ＝Ｎ×（Ｆｄ±ＩＦ）±Ｆｄ±Ｂｗ／２
実施の形態１による受信装置１２では、周波数ＦＩの妨害信号が第１アンテナ端子２０から入力されたとしても、第１高周波増幅器２１における希望周波数近傍の歪み信号の発生が抑制される。【００２８】
この妨害信号の発生源は受信装置１２を備えた電子機器１００１における他の回路であるが、妨害信号の発生源が他の電子機器であってもよい。【００２９】
実施の形態１による受信装置１２では、第１受信部１５を動作させて第２受信部１８を動作させないシングル受信モードにおいても、希望周波数が妨害信号の周波数と発振信号の周波数との差から所定範囲外の周波数である場合、第１アンテナ端子２０からの妨害信号は歪信号を発生させない。したがってこの場合は、制御部５３はスイッチ３６、３７を制御して、第１局部発振器２６からの発振信号を第１混合器２２に供給し、第２局部発振器３４をオフしてもよい。これにより、希望周波数が妨害信号の周波数と発振信号の周波数との差から所定範囲外の周波数である場合は、局部発信器からの発振信号が受信部１５、１８の間を通過しないので、受信装置１２の外部への発振信号の輻射を抑制することができる。【００３０】
また、第１入力フィルタ１４は、発振信号の周波数と希望周波数との和若しくは差から所定範囲内の周波数の妨害信号を減衰し、好ましくは表面弾性波である。妨害信号を第１入力フィルタ１４で減衰させることにより、第１高周波増幅器２１における希望周波数近傍の歪み信号の発生が抑制され、受信装置１２の受信品質をさらに向上させることができる。【００３１】
受信装置１２は、第１受信部１５を動作させて第２受信部１８を動作させない第１シングル受信モードと、第２受信部１８を動作させて第１受信部１５を動作させない第２シングル受信モードとを切り替えられてもよい。第２シングル受信モードでは、第２混合器３０は第１局部発振器２６から出力された発振信号を用いて第２アンテナ端子２８からの信号を周波数変換する。この構成により、シングル受信モードにおいて、より受信感度の高い受信部で信号を受信するので、受信品質を向上させることができる。【００３２】
第１受信部１５及び第２受信部１８は、個別の集積回路１５Ａ、１８Ａにそれぞれ形成される。または第１受信部１５及び第２受信部１８は１つの集積回路１２Ａに形成されてもよい。これにより、受信装置１２の小型化・低コスト化が可能となる。【００３３】
なお、実施の形態１の受信装置１２はテレビ・ラジオ放送波を受信する受信装置で説明したが、携帯電話用無線装置、ＧＰＳ、ＷＬＡＮ、Ｂｌｕｅｔｏｏｔｈ等の高周波信号受信装置にも適用可能である。受信装置１２は高い受信品質を有し、自動車に搭載されるテレビや携帯端末などの電子機器に利用できる。【００３４】
なお、実施の形態１による受信装置１２は分周器２７、３７を備えているが、必ずしも備えなくてもよい。【００３５】
（実施の形態２）
図２は本発明の実施の形態２における受信装置１１２を備えた電子機器１００２のブロック図である。受信装置１１２は、第１アンテナ素子１１３と、第２アンテナ素子１１６と、第１入力フィルタ１１４と、第２入力フィルタ１１７と、第１受信部１１５と、第２受信部１１８と、復調回路１１９とを備える。復調回路１１９はＬＳＩで構成されている。第１アンテナ素子１１３は複数チャンネルを有するテレビ・ラジオ放送波を受信する。第１フィルタ１１４の入力端１１４Ａには第１アンテナ素子１１３が接続される。第１フィルタ１１４の出力端１１４Ｂは第１受信部１１５に接続され、第１受信部１１５は複数のチャンネルのうち希望周波数の特定チャンネルを選局する。第２アンテナ素子１１６は複数チャンネルを有するテレビ・ラジオ放送波を受信する。第２入力フィルタ１１７の入力端１１７Ａには第２アンテナ素子１１６が接続される。第２入力フィルタ１１７の出力端１１７Ｂは第２受信部１１８に接続され、第２受信部１１８は複数のチャンネルのうち希望周波数の特定チャンネルを選局する。第１受信部１１５の第１出力端子１２５と第２受信部１１８の第２出力端子１３３は復調回路１１９に接続されている。受信装置１１２は、第１受信部１１５と第２受信部１１８とで希望周波数の信号を受信するダイバシティ受信モードと第１受信部１１５で希望周波数の信号を受信するシングル受信モードとを切り替えることができる。電子機器１００２は、受信装置１１２と、復調回路１１９の出力端１１９Ｂに接続された入力端１５１Ａを有する信号処理部１５１と、信号処理部１５１の出力端１５１Ｂに接続された表示部１５２とを備える。第１アンテナ素子１１３と第２アンテナ素子１１６とは指向性等の特性が異なっていてもよい。【００３６】
第１受信部１１５の構成を説明する。第１アンテナ端子１２０は第１入力フィルタ１１４の出力端１１４Ｂに接続されており、すなわち第１入力フィルタ１１４を介して第１アンテナ素子１１３に結合するよう構成されている。第１アンテナ端子１２０はトランジスタ回路を有する第１高周波増幅器１２１の入力端１２１Ａに接続されている、第１高周波増幅器１２１の出力端１２１Ｂは第１混合器１２２の第１入力端１２２Ａに接続されている。第１局部発振器１２６が出力する発振信号は第１分周器１２７の入力端１２７Ａに入力され、第１分周器１２７によりその周波数が分周されて、第１混合器１２２の第２入力端１２２Ｃに供給される。第１混合器１２２は、第２入力端１２２Ｃに入力された発振信号を用いて、第１入力端１２２Ａから入力された希望周波数の信号を例えば５００ｋＨｚ帯の中間周波数の信号に変換して出力端１２２Ｂから出力する。第１混合器１２２の出力端１２２Ｂは第１帯域制限フィルタ１２３の入力端１２３Ａに入力される。第１帯域制限フィルタ１２３の出力端１２３Ｂには第１中間周波増幅器１２４の入力端１２４Ａが接続されている。第１中間周波増幅器１２４の出力端１２４Ｂは第１出力端子１２５に接続されている。【００３７】
第２受信部１１８の構成を説明する。第２アンテナ端子１２８は第２入力フィルタ１１７の出力端１１７Ｂに接続されており、すなわち第２入力フィルタ１１７を介して第２アンテナ素子１１６に結合するよう構成されている。第２アンテナ端子１２８はトランジスタ回路を有する第２高周波増幅器１２９の入力端１２９Ａに接続されている、第２高周波増幅器１２９の出力端１２９Ｂは第２混合器１３０の第１入力端１３０Ａに接続されている。第２局部発振器１３４が出力する発振信号は第２分周器１３５の入力端１３５Ａに入力され、第２分周器１３５によりその周波数が分周されて、第２混合器１３０の第２入力端１３０Ｃに供給される。第２混合器１３０は、第２入力端１３０Ｃに入力された発振信号を用いて、第１入力端１３０Ａから入力された希望周波数の信号を例えば５００ｋＨｚ帯の中間周波数の信号に変換して出力端１３０Ｂから出力する。第２混合器１３０の出力端１３０Ｂは第２帯域制限フィルタ１３１の入力端１３１Ａに入力される。第２帯域制限フィルタ１３１の出力端１３１Ｂには第２中間周波増幅器１３２の入力端１３２Ａが接続されている。第２中間周波増幅器１３２の出力端１３２Ｂは第２出力端子１３３に接続されている。【００３８】
第１局部発振器１２６に比べて第２局部発振器１３４は第１高周波増幅器１２１に対する大きなアイソレーションを有する。また、第２局部発振器１３４に比べて第１局部発振器１２６は第２高周波増幅器１２９に対する大きなアイソレーションを有する。【００３９】
復調回路１１９は、第１受信部１１５の出力端子１２５に接続された入力端１３９Ａを有する第１復調部１３９と、第２受信部１１８の第２出力端子１３３に接続された入力端１４０Ａを有する第２復調部１４０と、第１復調部１３９の出力端１３９Ｂと第２復調部１４０の出力端１４０Ｂに接続された合成部１３８と、合成部１３８と第１スイッチ１３６と第２スイッチ１３７を制御する制御部１５３とを有する。第１復調部１３９は第１受信部１１５が出力する信号を復調して復調信号を出力する。第２復調部１４０は第２受信部１１８が出力する信号を復調して復調信号を出力する。合成部１３８は復調部１３９、１４０が出力した復調信号を合成して信号処理部１５１に出力する。信号処理部１５１は合成部１３８が出力する信号を処理し、表示部１５２は処理された信号を基に画像と音声を出力する。【００４０】
第１局部発振器１２６と第１分周器１２７との間にはスイッチ１３６が接続されている。スイッチ１３６は第１局部発振器１２６から出力される発振信号を第１混合器１２２と第２混合器１３０に供給するか、第１混合器１２２のみに供給してかつ第２混合器１３０に供給しないかを切り替える。すなわち、スイッチ１３６は第１局部発振器１２６から出力される発振信号を第１分周器１２７と第２分周器１３５に供給するか、第１分周器１２７のみに供給してかつ第２分周器１３５に供給しないかを切り替える。第２局部発振器１３４と第２分周器１３５との間にはスイッチ１３７が接続されている。スイッチ１３７は第１局部発振器１２６から出力された発振信号と第２局部発振器１３４から出力された発振信号とを選択的に第２混合器１３０に供給する。すなわち、スイッチ１３７は第１局部発振器１２６から出力された発振信号と第２局部発振器１３４から出力された発振信号とを選択的に第２分周器１３５に供給する。【００４１】
第１受信部１１５と第２受信部１１８の両者を動作させて希望周波数の信号を受信するダイバシティ受信モードにおいて、第１混合器１２２と第２混合器１３０は共に、第１局部発振器１２６から出力された発振信号を用いて各々に入力された信号を周波数変換する。第２受信部１１８においては、第２局部発振器１３４の電源をオフにすることにより消費電力を低減している。【００４２】
受信装置１１２において、局部発振器１２６の発振信号の周波数と希望周波数との和若しくは差から所定範囲内の周波数の妨害信号が第１アンテナ端子１２０から入力される場合がある。この場合、第１高周波増幅器１２１と第１局部発振器１２６のアイソレーションが十分確保出来ていないと、第１高周波増幅器１２１においてその妨害信号と第１局部発振器１２６から輻射された発振信号の周波数のノイズとが混合し希望周波数近傍に歪み信号が発生する場合がある。その妨害信号の周波数において、第１入力フィルタ１１４の信号減衰量を第２入力フィルタ１１７の信号減衰量より大きく設定する。これにより、ダイバシティ受信モードにおいて、妨害信号が第１高周波増幅器１２１に入力されることを抑制することができる。第１入力フィルタ１１４は、好ましくは妨害信号を減衰する表面弾性波フィルタである。第２入力フィルタ１１７としては低温同時焼成セラミック（ＬＴＣＣ）フィルタ若しくはディスクリートフィルタが用いられる。また、第１入力フィルタ１１４と第２入力フィルタ１１７共に、表面弾性波フィルタであってもよく、ＬＴＣＣフィルタまたはディスクリートフィルタであってもよい。これにより、第１高周波増幅器１２１において、妨害信号と第１局部発振器１２６から輻射された発振信号の周波数のノイズとが混合することを抑制することができる。その結果、第１高周波増幅器１２１における希望周波数近傍の歪み信号の発生が抑制され、受信装置１１２の受信品質を向上させることができる。【００４３】
受信する希望波の周波数Ｆｄｘ、希望波の受信帯域幅Ｂｗ、第１混合器１２２から出力される中間周波数ＩＦｙ、第１分周器１２７の分周比Ｎｚにより局部発振器１２６の発振信号の周波数ＦＯは以下の式で表される。【００４４】
ＦＯ＝Ｎｚ×（Ｆｄｘ±ＩＦｙ）
このとき、妨害信号の周波数ＦＩは以下の式で表される。【００４５】
ＦＩ＝Ｎｚ×（Ｆｄｘ±ＩＦｙ）±Ｆｄｘ±Ｂｗ／２
周波数ＦＩにおいて第２入力フィルタ１１７より大きな減衰量を有する第１入力フィルタ１１４により、周波数ＦＩの妨害信号が第１高周波増幅器１２１に入力されることを抑制することができる。その結果、第１高周波増幅器１２１における希望周波数近傍の歪み信号の発生が抑制される。【００４６】
この妨害信号の発生源は受信装置１１２を備えた電子機器１００２における他の回路であるが、妨害信号の発生源が他の電子機器であってもよい。【００４７】
第１入力フィルタ１１４は第１受信部１１５に内蔵されていてもよい。この場合、受信装置１１２の小型化を図ることができる。【００４８】
第１受信部１１５及び第２受信部１１８は、個別の集積回路１１５Ａ、１１８Ｂにそれぞれ形成される。または第１受信部１１５及び第２受信部１１８は１つの集積回路１１２Ａに形成されてもよい。これにより、受信装置１１２の小型化・低コスト化が可能となる。【００４９】
なお、実施の形態２の受信装置１１２はテレビ・ラジオ放送波を受信する受信装置で説明したが、携帯電話用無線装置、ＧＰＳ、ＷＬＡＮ、Ｂｌｕｅｔｏｏｔｈ等の高周波信号受信装置にも適用可能である。【００５０】
なお、実施の形態１による受信装置１１２は分周器１２７、１３７を備えているが、必ずしも備えなくてもよい。
【産業上の利用可能性】
【００５１】
受信装置１１２は高い受信品質を有し、自動車に搭載されるテレビや携帯端末などの電子機器に利用できる。
【図１】
2008072451.tif 000003
【図２】
2008072451.tif 000004
【図３】
2008072451.tif 000005
【図４】
2008072451.tif 000006
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
希望周波数の信号を受信する第１アンテナ素子が結合するよう構成された第１アンテナ端子と、
前記第１アンテナ端子から供給された信号を増幅して出力する第１高周波増幅器と、
第１発振信号を出力する第１局部発信器と、
前記第１発振信号を用いて第１高周波増幅器から出力された前記信号を周波数変換して出力する第１混合器と、
を有する第１受信部と、
前記希望周波数の前記信号を受信する第２アンテナ素子が結合するよう構成された第２アンテナ端子と、
前記第２アンテナ端子から供給された信号を増幅して出力する第２高周波増幅器と、
第２発振信号を出力する第２局部発信器と、
前記第２発振信号を用いて第２高周波増幅器から出力された前記信号を周波数変換して出力する第２混合器と、
を有する第２受信部と、
前記第１混合器が出力する前記信号と前記第２混合器が出力する前記信号とを合成する合成部と、
前記第１受信部を動作させかつ前記第２受信部を動作させるダイバシティ受信モードと、前記第１受信部を動作させて前記第２受信部を動作させない第１シングル受信モードとを切り替え、
前記第１シングル受信モードにおいて、前記第１混合器は前記第２発振信号を用いて前記第１高周波増幅器から出力された前記信号を周波数変換して出力させる、
ように動作する制御部と、
を備えた受信装置。
【請求項２】
前記第１アンテナ素子には妨害信号が入力され、
前記制御部は、
前記第１シングル受信モードにおいて、前記希望周波数が前記妨害信号の周波数と前記第２発振信号の周波数との差から所定範囲内の周波数である場合に、前記第１混合器は前記第２発振信号を用いて前記第１高周波増幅器から出力された前記信号を周波数変換して出力させ、
前記第１シングル受信モードにおいて、前記希望周波数が前記妨害信号の前記周波数と前記第２発振周波数との差から所定範囲外の周波数である場合に、前記第１混合器は前記第１発振信号を用いて前記第１高周波増幅器から出力された前記信号を周波数変換して出力させる、
ように動作する、請求項１に記載の受信装置。
【請求項３】
前記制御部は、
前記ダイバシティ受信モードと、前記第１シングル受信モードと、前記第２受信部を動作させて前記第１受信部を動作させない第２シングル受信モードとを切り替え、
前記第２シングル受信モードにおいて、前記第２混合器は前記第１発振信号を用いて前記第２高周波増幅器から出力された前記信号を周波数変換して出力させる、
ように動作する請求項１に記載の受信装置。
【請求項４】
前記第１アンテナ素子には、前記第１発振信号の周波数と前記希望周波数との和若しくは差から所定範囲内の周波数の妨害信号が入力され、
前記第１アンテナ素子と前記第１高周波増幅器との間に接続されて前記妨害信号を減衰させる第１入力フィルタをさらに備えた、請求項１に記載の受信装置。
【請求項５】
前記第１入力フィルタは表面弾性波フィルタである、請求項４に記載の受信装置。
【請求項６】
前記第１受信部及び前記第２受信部がそれぞれ形成された個別の集積回路をさらに備えた、請求項１に記載の受信装置。
【請求項７】
前記第１受信部及び前記第２受信部が形成された集積回路をさらに備えた、請求項１に記載の受信装置。
【請求項８】
請求項１に記載の受信装置と、
前記合成部が出力する信号を処理する信号処理部と、
を備えた電子機器。
【請求項９】
希望周波数の信号を受信する第１アンテナ素子が結合するよう構成された第１アンテナ端子と、
前記第１アンテナ端子から供給された信号を増幅して出力する第１高周波増幅器と、
第１発振信号を出力する第１局部発信器と、
前記第１発振信号を用いて第１高周波増幅器から出力された前記信号を周波数変換して出力する第１混合器と、
を有する第１受信部と、
前記第１アンテナ素子と前記第１高周波増幅器との間に接続された第１入力フィルタと、
前記希望周波数の前記信号を受信する第２アンテナ素子が結合するよう構成された第２アンテナ端子と、
前記第２アンテナ端子から供給された信号を増幅して出力する第２高周波増幅器と、
第２発振信号を出力する第２局部発信器と、
前記第２発振信号を用いて第２高周波増幅器から出力された前記信号を周波数変換して出力する第２混合器と、
を有する第２受信部と、
前記第１混合器が出力する前記信号と前記第２混合器が出力する前記信号とを合成する合成部と、
前記第１受信部を動作させかつ前記第２受信部を動作させるダイバシティ受信モードと、前記第１受信部を動作させて前記第２受信部を動作させない第１シングル受信モードとを切り替え、
前記ダイバシティ受信モードにおいて、前記第１混合器は前記第１発振信号を用いて前記第１高周波増幅器から出力された前記信号を周波数変換して出力させて、かつ前記第２混合器は前記第１発振信号を用いて前記第２高周波増幅器から出力された前記信号を周波数変換して出力させる、
ように動作する制御部と、
を備え、
前記第１アンテナ素子には前記第１発振信号の周波数と前記希望周波数との和若しくは差から所定範囲内の周波数の妨害信号が入力され、
前記第１の入力フィルタは前記妨害信号を減衰させる、
受信装置。
【請求項１０】
前記第１入力フィルタは表面弾性波フィルタからなる、請求項９に記載の受信装置。
【請求項１１】
前記第２アンテナ素子と前記第２高周波増幅器との間に接続された第２入力フィルタをさらに備え、
前記妨害信号の前記周波数において、前記第１入力フィルタの信号減衰量は前記第２入力フィルタの信号減衰量より大きい、請求項９に記載の受信装置。
【請求項１２】
前記第１入力フィルタは表面弾性波フィルタからなる、請求項１１に記載の受信装置。
【請求項１３】
前記第２入力フィルタは低温同時焼成セラミックフィルタまたはディスクリートフィルタからなる、請求項１１に記載の受信装置。
【請求項１４】
前記第１入力フィルタは前記第１受信部に内蔵されている、請求項９に記載の受信装置。
【請求項１５】
前記第１受信部及び前記第２受信部がそれぞれ形成された個別の集積回路をさらに備えた、請求項９に記載の受信装置。
【請求項１６】
前記第１受信部及び前記第２受信部が形成された集積回路をさらに備えた、請求項９に記載の受信装置。
【請求項１７】
請求項９に記載の受信装置と、
前記合成部が出力する信号を処理する信号処理部と、
を備えた電子機器。
【請求項１８】
請求項１０に記載の受信装置と、
前記合成部が出力する信号を処理する信号処理部と、
を備えた電子機器。
【手続補正２】
【補正対象書類名】明細書
【補正対象項目名】全文
【補正方法】変更
【補正の内容】
【発明の詳細な説明】
【技術分野】
【０００１】
本発明は、希望周波数の信号を受信する受信装置と、これを用いた電子機器に関する。
【背景技術】
【０００２】
図３は特許文献１に記載されている従来の受信装置１のブロック図である。受信装置１は、第１受信部２と第２受信部３とを備える。第１受信部２は、第１アンテナ端子４と、第１アンテナ端子４に接続された入力端を有する第１高周波増幅器５と、第１高周波増幅器５の出力端に接続された一方の入力端を有する第１混合器６と、第１混合器６の他の入力端に接続された第１局部発振器７とを有する。第２受信部３は、第２アンテナ端子８と、第２アンテナ端子８に接続された入力端を有する第２高周波増幅器９と、第２高周波増幅器９の出力端に接続された一方の入力端を有する第２混合器１１０と、第２混合器１１０の他の入力端に接続された第２局部発振器１１１とを有する。
【０００３】
従来の受信装置１では、移動受信によるフェージングの影響等により受信状態が所定レベルより悪くなった場合には、第１受信部２と第２受信部３との双方を用いて信号を受信するダイバシティ受信モードになる。受信状態が安定し所定レベルより良い場合には、第１受信部２と第２受信部３のいずれか一方を用いて信号を受信するシングル受信モードになる。これにより、受信装置１では、移動受信により受信状態の悪い場合にも高感度を確保することができ、かつ受信状態が良い場合には、一方の受信部をオフすることができ、消費電力を低減することができる。
【０００４】
受信装置１の第１受信部２を用いたシングル受信モードにおいて、第１混合器６は、第１局部発振器７から出力された発振信号を用いて第１アンテナ端子４からの希望周波数の信号を中間周波数の信号に変換する。発振周波数と希望周波数との和若しくは差から所定範囲内の近接した周波数の妨害信号が第１アンテナ端子４から入力される場合がある。この場合には、第１高周波増幅器５と第１局部発振器７のアイソレーションが十分確保出来ていないと、第１高周波増幅器５で妨害信号と第１局部発振器７から輻射された発振周波数のノイズとが混合し希望周波数近傍に歪み信号が発生し、受信品質が劣化という問題が起こる。
【０００５】
最近では受信装置１の小型化が強く要望されており、第１受信部２や第２受信部３が小型多層基板にモジュール化され、または小型半導体パッケージ内に集積化される。したがって、第１高周波増幅器５と第１局部発振器７のアイソレーションを確保するのが困難になっており、上記の問題が発生しやすい。
【０００６】
図４は特許文献１に記載されている他の従来の受信装置１０１のブロック図である。受信装置１０１は第１受信部１０２と第２受信部１０３とを備える。第１受信部１０２は、第１アンテナ端子１０４と、第１アンテナ端子１０４に接続された入力端を有する第１高周波増幅器１０５と、第１高周波増幅器１０５の出力端に接続された一方の入力端を有する第１混合器１０６と、第１混合器１０６の他の入力端に接続された第１局部発振器１０７とを有する。第２受信部１０３は、第２アンテナ端子１０８と、第２アンテナ端子１０８に接続された入力端を有する第２高周波増幅器１０９と、第２高周波増幅器１０９の出力端に接続された一方の入力端を有する第２混合器１０と、第２混合器１０の他の入力端に接続されると共に第１混合器１０６の他の入力端にも接続された第２局部発振器１１とを有する。
【０００７】
第１受信部１０２と第２受信部１０３とを用いて信号を受信するダイバシティ受信モードにおいて、第１混合器１０６は第１局部発振器１０７から出力された発振信号を用いて高周波増幅器１０５から入力された信号を周波数変換し、第２混合器１１０は、第１局部発振器１０７から出力された発振信号を用いて高周波増幅器１０９から入力された信号を周波数変換する。第２受信部１０３においては、第１局部発振器１０７を受信部１０２と共用しているので、第２局部発振器１１１の電源をオフすることがで、受信装置１０１のダイバシティ受信モードにおける消費電力を低減できる。
【０００８】
受信装置１０１において、発振周波数と希望周波数との和若しくは差から所定範囲内の近接した周波数の妨害信号が第１アンテナ端子１０４から入力される場合がある。この場合、第１高周波増幅器１０５と第１局部発振器１０７のアイソレーションが十分確保出来ていないと、第１高周波増幅器１０５において、妨害信号と第１局部発振器１０７から輻射された発振周波数のノイズとが混合し希望周波数近傍に歪み信号が発生し、受信品質が劣化するという問題がある。
【０００９】
最近では受信装置１０１の小型化が強く要望されており、第１受信部１０２や第２受信部１０３が小型多層基板にモジュール化され、または小型半導体パッケージ内に集積化される。したがって、第１高周波増幅器１０５と第１局部発振器１０７のアイソレーションを確保するのが困難になっており、上記の問題が発生しやすい。
【特許文献１】特開２００５−１３０２７９号公報
【発明の開示】
【００１０】
受信装置は、第１受信部と、第２受信部と、制御部とを備える。第１受信部は、第１アンテナ端子から供給された信号を増幅して出力する第１高周波増幅器と、第１発振信号を出力する第１局部発信器と、第１発振信号を用いて第１高周波増幅器から出力された信号を周波数変換して出力する第１混合器とを有する。第２受信部は、第２アンテナ端子から供給された信号を増幅して出力する第２高周波増幅器と、第２発振信号を出力する第２局部発信器と、第２発振信号を用いて第２高周波増幅器から出力された信号を周波数変換して出力する第２混合器とを有する。制御部は、第１受信部を動作させかつ第２受信部を動作させるダイバシティ受信モードと、第１受信部を動作させて第２受信部を動作させないシングル受信モードとを切り替える。制御部は、シングル受信モードにおいて、第１混合器は第２発振信号を用いて第１高周波増幅器から出力された信号を周波数変換して出力させる。
【００１１】
この受信装置は高い受信品質を有する。
【発明を実施するための最良の形態】
【００１２】
（実施の形態１）
図１は本発明の実施の形態１における受信装置１２を備えた電子機器１００１のブロック図である。受信装置１２は、第１アンテナ素子１３と、第２アンテナ素子１６と、第１入力フィルタ１４と、第２入力フィルタ１７と、第１受信部１５と、第２受信部１８と、復調回路１９とを備える。復調回路１９はＬＳＩで構成されている。第１アンテナ素子１３は複数チャンネルを有するテレビ・ラジオ放送波を受信する。第１フィルタ１４の入力端１４Ａには第１アンテナ素子１３が接続される。第１フィルタ１４の出力端１４Ｂは第１受信部１５に接続され、第１受信部１５は複数のチャンネルのうち希望周波数の特定チャンネルを選局する。第２アンテナ素子１６は複数チャンネルを有するテレビ・ラジオ放送波を受信する。第２入力フィルタ１７の入力端１７Ａには第２アンテナ素子１６が接続される。第２入力フィルタ１７の出力端１７Ｂは第２受信部１８に接続され、第２受信部１６は複数のチャンネルのうち希望周波数の特定チャンネルを選局する。第１受信部１５の第１出力端子２５と第２受信部１８の第２出力端子３３は復調回路１９に接続されている。受信装置１２は、第１受信部１５と第２受信部１８とで希望周波数の信号を受信するダイバシティ受信モードと第１受信部１５と第２受信部１８のうちのいずれか一方のみで希望周波数の信号を受信するシングル受信モードとを切り替えることができる。電子機器１００１は、受信装置１２と、復調回路１９の出力端１９Ｂに接続された入力端５１Ａを有する信号処理部５１と、信号処理部５１の出力端５１Ｂに接続された表示部５２とを備える。第１アンテナ素子１３と第２アンテナ素子１６とは指向性等の特性が異なっていてもよい。
【００１３】
第１受信部１５の構成を説明する。第１アンテナ端子２０は第１入力フィルタ１４の出力端１４Ｂに接続されており、すなわち第１入力フィルタ１４を介して第１アンテナ素子１３に結合するよう構成されている。第１アンテナ端子２０はトランジスタ回路を有する第１高周波増幅器２１の入力端２１Ａに接続されている、第１高周波増幅器２１の出力端２１Ｂは第１混合器２２の第１入力端２２Ａに接続されている。第１局部発振器２６が出力する発振信号は第１分周器２７の入力端２７Ａに入力され、第１分周器２７によりその周波数が分周されて、第１混合器２２の第２入力端２２Ｃに供給される。第１混合器２２は、第２入力端２２Ｃに入力された発振信号を用いて、第１入力端２２Ａから入力された希望周波数の信号を例えば５００ｋＨｚ帯の中間周波数の信号に変換して出力端２２Ｂから出力する。第１混合器２２の出力端２２Ｂは第１帯域制限フィルタ２３の入力端２３Ａに入力される。第１帯域制限フィルタ２３の出力端２３Ｂには第１中間周波増幅器２４の入力端２４Ａが接続されている。第１中間周波増幅器２４の出力端２４Ｂは第１出力端子２５に接続されている。
【００１４】
第２受信部１８の構成を説明する。第２アンテナ端子２８は第２入力フィルタ１７の出力端１７Ｂに接続されており、すなわち第２入力フィルタ１７を介して第２アンテナ素子１６に結合するよう構成されている。第２アンテナ端子２８はトランジスタ回路を有する第２高周波増幅器２９の入力端２９Ａに接続されている、第２高周波増幅器２９の出力端２９Ｂは第２混合器３０の第１入力端３０Ａに接続されている。第２局部発振器３４が出力する発振信号は第２分周器３５の入力端３５Ａに入力され、第２分周器３５によりその周波数が分周されて、第２混合器３０の第２入力端３０Ｃに供給される。第２混合器３０は、第２入力端３０Ｃに入力された発振信号を用いて、第１入力端３０Ａから入力された希望周波数の信号を例えば５００ｋＨｚ帯の中間周波数の信号に変換して出力端３０Ｂから出力する。第２混合器３０の出力端３０Ｂは第２帯域制限フィルタ３１の入力端３１Ａに入力される。第２帯域制限フィルタ３１の出力端３１Ｂには第２中間周波増幅器３２の入力端３２Ａが接続されている。第２中間周波増幅器３２の出力端３２Ｂは第２出力端子３３に接続されている。
【００１５】
第１局部発振器２６に比べて第２局部発振器３４は第１高周波増幅器２１に対する大きなアイソレーションを有する。また、第２局部発振器３４に比べて第１局部発振器２６は第２高周波増幅器２９に対する大きなアイソレーションを有する。
【００１６】
復調回路１９は、第１受信部１５の出力端子２５に接続された入力端３９Ａを有する第１復調部３９と、第２受信部１８の第２出力端子３３に接続された入力端４０Ａを有する第２復調部４０と、第１復調部３９の出力端３９Ｂと第２復調部４０の出力端４０Ｂに接続された合成部３８と、合成部３８と第１スイッチ３６と第２スイッチ３７を制御する制御部５３とを有する。第１復調部３９は第１受信部１５が出力する信号を復調して復調信号を出力する。第２復調部４０は第２受信部１８が出力する信号を復調して復調信号を出力する。合成部３８は復調部３９、４０が出力した復調信号を合成して信号処理部５１に出力する。信号処理部５１は合成部３８が出力する信号を処理し、表示部５２は処理された信号を基に画像と音声を出力する。
【００１７】
第１局部発振器２６と第１分周器２７との間には第１スイッチ３６が接続されている。第１スイッチ３６は、第１局部発振器２６から出力される発振信号と第２局部発振器３４から出力される発振信号とを切り替えて選択的に第１分周器２７の入力端２７Ａに供給する。第２局部発振器３４と第２分周器３５との間には第２スイッチ３７が接続されている。第２スイッチ３７は、第２局部発振器３４から出力される発振信号を第１分周器２７の入力端２７Ａと第２分周器３５の入力端３５Ａとに切り替えて選択的に供給する。
【００１８】
以下、実施の形態１による受信装置１２を備えた電子機器１００１の動作について説明する。
【００１９】
制御部５３は、合成部３８の出力端３８Ｂから出力される復調信号のＣａｒｒｉｅｒ  Ｔｏ  Ｎｏｉｓｅ（ＣＮ）比またはＢｉｔ  Ｅｒｒｏｒ  Ｒａｔｅ（ＢＥＲ）等の受信状態を示すパラメータを検出する。
【００２０】
受信状態が所定レベルより悪いことを検出されたパラメータが示している場合に、制御部５３は合成部３８に第１受信部１５の出力する信号と第２受信部１８の出力する信号とを合成して信号処理部５１に供給させ、受信装置１２は第１受信部１５と第２受信部１８の双方を動作させるダイバシティ受信モードとなる。このダイバシティ受信モードにおいて、制御部５３はスイッチ３６、３７を制御して、第１局部発振器２６から出力される発振信号を第１分周器２７に供給し、第２局部発振器３４から出力される発振信号を第２分周器３５に供給する。したがって、第１混合器２２は第１局部発振器２６から出力される発振信号を用いて第１高周波増幅器２１から出力される信号を周波数変換し、第２混合器３０は第２局部発振器３４から出力される発振信号を用いて第２高周波増幅器２９から出力される信号を周波数変換する。
【００２１】
受信状態が所定レベルより良いことを検出されたパラメータが示している場合に、制御部５３は合成部３８に第１受信部１５の出力する信号を信号処理部５１に供給させ、第２受信部１８の出力する信号を信号処理部５１に供給させず、受信装置１２はシングル受信モードとなる。このシングル受信モードにおいて、制御部５３はスイッチ３６、３７を制御して、第２局部発振器３４から出力される発振信号を第１分周器２７に供給する。したがって、第１混合器２２は、第２局部発振器３４から出力される発振信号を用いて第１高周波増幅器２１から出力される信号を周波数変換する。さらに、このシングル受信モードでは、制御部５３は第１局部発振器２６と、第２受信部１８の第２局部発振器３４以外の構成部分例えば第２高周波増幅器２９と第２分周器３５と第２混合器３０と第２中間周波増幅器３２をオフにして、受信装置１２の消費電力を低減することができる。
【００２２】
第２局部発振器３４と第１高周波増幅器２１とがそれぞれ互いに異なる第１受信部１５と第２受信部１８に存在している。第１局部発振器２６に比べて第２局部発振器３４は第１高周波増幅器２１から大きなアイソレーションが確保できる。第１受信部１５を動作させ第２受信部１８を動作させないシングル受信モードにおいて、第２局部発振器３４の発振信号の周波数と希望周波数との和若しくは差から所定範囲内の周波数の妨害信号が第１アンテナ端子２０から入力されたとしても、第１高周波増幅器２１においてこの妨害信号と第２局部発振器３４から輻射された発振信号の周波数のノイズとが混合することを抑制することができる。その結果、第１高周波増幅器２１における希望周波数近傍の歪み信号の発生が抑制され、受信装置１２の受信品質を向上させることができる。
【００２３】
受信する希望周波数Ｆｄとその帯域幅Ｂｗ、第１混合器２２から出力される中間周波数ＩＦと第１分周器２７の分周比Ｎにより局部発振器３４の発振信号の周波数ＦＯは以下の式で表される。
【００２４】
ＦＯ＝Ｎ×（Ｆｄ±ＩＦ）
このとき、妨害信号の周波数ＦＩは以下で表される。
【００２５】
ＦＩ＝Ｎ×（Ｆｄ±ＩＦ）±Ｆｄ±Ｂｗ／２
実施の形態１による受信装置１２では、周波数ＦＩの妨害信号が第１アンテナ端子２０から入力されたとしても、第１高周波増幅器２１における希望周波数近傍の歪み信号の発生が抑制される。
【００２６】
この妨害信号の発生源は受信装置１２を備えた電子機器１００１における他の回路であるが、妨害信号の発生源が他の電子機器であってもよい。
【００２７】
実施の形態１による受信装置１２では、第１受信部１５を動作させて第２受信部１８を動作させないシングル受信モードにおいても、希望周波数が妨害信号の周波数と発振信号の周波数との差から所定範囲外の周波数である場合、第１アンテナ端子２０からの妨害信号は歪信号を発生させない。したがってこの場合は、制御部５３はスイッチ３６、３７を制御して、第１局部発振器２６からの発振信号を第１混合器２２に供給し、第２局部発振器３４をオフしてもよい。これにより、希望周波数が妨害信号の周波数と発振信号の周波数との差から所定範囲外の周波数である場合は、局部発信器からの発振信号が受信部１５、１８の間を通過しないので、受信装置１２の外部への発振信号の輻射を抑制することができる。
【００２８】
また、第１入力フィルタ１４は、発振信号の周波数と希望周波数との和若しくは差から所定範囲内の周波数の妨害信号を減衰し、好ましくは表面弾性波である。妨害信号を第１入力フィルタ１４で減衰させることにより、第１高周波増幅器２１における希望周波数近傍の歪み信号の発生が抑制され、受信装置１２の受信品質をさらに向上させることができる。
【００２９】
受信装置１２は、第１受信部１５を動作させて第２受信部１８を動作させない第１シングル受信モードと、第２受信部１８を動作させて第１受信部１５を動作させない第２シングル受信モードとを切り替えられてもよい。第２シングル受信モードでは、第２混合器３０は第１局部発振器２６から出力された発振信号を用いて第２アンテナ端子２８からの信号を周波数変換する。この構成により、シングル受信モードにおいて、より受信感度の高い受信部で信号を受信するので、受信品質を向上させることができる。
【００３０】
第１受信部１５及び第２受信部１８は、個別の集積回路１５Ａ、１８Ａにそれぞれ形成される。または第１受信部１５及び第２受信部１８は１つの集積回路１２Ａに形成されてもよい。これにより、受信装置１２の小型化・低コスト化が可能となる。
【００３１】
なお、実施の形態１の受信装置１２はテレビ・ラジオ放送波を受信する受信装置で説明したが、携帯電話用無線装置、ＧＰＳ、ＷＬＡＮ、Ｂｌｕｅｔｏｏｔｈ等の高周波信号受信装置にも適用可能である。受信装置１２は高い受信品質を有し、自動車に搭載されるテレビや携帯端末などの電子機器に利用できる。
【００３２】
なお、実施の形態１による受信装置１２は分周器２７、３７を備えているが、必ずしも備えなくてもよい。
【００３３】
（実施の形態２）
図２は本発明の実施の形態２における受信装置１１２を備えた電子機器１００２のブロック図である。受信装置１１２は、第１アンテナ素子１１３と、第２アンテナ素子１１６と、第１入力フィルタ１１４と、第２入力フィルタ１１７と、第１受信部１１５と、第２受信部１１８と、復調回路１１９とを備える。復調回路１１９はＬＳＩで構成されている。第１アンテナ素子１１３は複数チャンネルを有するテレビ・ラジオ放送波を受信する。第１フィルタ１１４の入力端１１４Ａには第１アンテナ素子１１３が接続される。第１フィルタ１１４の出力端１１４Ｂは第１受信部１１５に接続され、第１受信部１１５は複数のチャンネルのうち希望周波数の特定チャンネルを選局する。第２アンテナ素子１１６は複数チャンネルを有するテレビ・ラジオ放送波を受信する。第２入力フィルタ１１７の入力端１１７Ａには第２アンテナ素子１１６が接続される。第２入力フィルタ１１７の出力端１１７Ｂは第２受信部１１８に接続され、第２受信部１１８は複数のチャンネルのうち希望周波数の特定チャンネルを選局する。第１受信部１１５の第１出力端子１２５と第２受信部１１８の第２出力端子１３３は復調回路１１９に接続されている。受信装置１１２は、第１受信部１１５と第２受信部１１８とで希望周波数の信号を受信するダイバシティ受信モードと第１受信部１１５で希望周波数の信号を受信するシングル受信モードとを切り替えることができる。電子機器１００２は、受信装置１１２と、復調回路１１９の出力端１１９Ｂに接続された入力端１５１Ａを有する信号処理部１５１と、信号処理部１５１の出力端１５１Ｂに接続された表示部１５２とを備える。第１アンテナ素子１１３と第２アンテナ素子１１６とは指向性等の特性が異なっていてもよい。
【００３４】
第１受信部１１５の構成を説明する。第１アンテナ端子１２０は第１入力フィルタ１１４の出力端１１４Ｂに接続されており、すなわち第１入力フィルタ１１４を介して第１アンテナ素子１１３に結合するよう構成されている。第１アンテナ端子１２０はトランジスタ回路を有する第１高周波増幅器１２１の入力端１２１Ａに接続されている、第１高周波増幅器１２１の出力端１２１Ｂは第１混合器１２２の第１入力端１２２Ａに接続されている。第１局部発振器１２６が出力する発振信号は第１分周器１２７の入力端１２７Ａに入力され、第１分周器１２７によりその周波数が分周されて、第１混合器１２２の第２入力端１２２Ｃに供給される。第１混合器１２２は、第２入力端１２２Ｃに入力された発振信号を用いて、第１入力端１２２Ａから入力された希望周波数の信号を例えば５００ｋＨｚ帯の中間周波数の信号に変換して出力端１２２Ｂから出力する。第１混合器１２２の出力端１２２Ｂは第１帯域制限フィルタ１２３の入力端１２３Ａに入力される。第１帯域制限フィルタ１２３の出力端１２３Ｂには第１中間周波増幅器１２４の入力端１２４Ａが接続されている。第１中間周波増幅器１２４の出力端１２４Ｂは第１出力端子１２５に接続されている。
【００３５】
第２受信部１１８の構成を説明する。第２アンテナ端子１２８は第２入力フィルタ１１７の出力端１１７Ｂに接続されており、すなわち第２入力フィルタ１１７を介して第２アンテナ素子１１６に結合するよう構成されている。第２アンテナ端子１２８はトランジスタ回路を有する第２高周波増幅器１２９の入力端１２９Ａに接続されている、第２高周波増幅器１２９の出力端１２９Ｂは第２混合器１３０の第１入力端１３０Ａに接続されている。第２局部発振器１３４が出力する発振信号は第２分周器１３５の入力端１３５Ａに入力され、第２分周器１３５によりその周波数が分周されて、第２混合器１３０の第２入力端１３０Ｃに供給される。第２混合器１３０は、第２入力端１３０Ｃに入力された発振信号を用いて、第１入力端１３０Ａから入力された希望周波数の信号を例えば５００ｋＨｚ帯の中間周波数の信号に変換して出力端１３０Ｂから出力する。第２混合器１３０の出力端１３０Ｂは第２帯域制限フィルタ１３１の入力端１３１Ａに入力される。第２帯域制限フィルタ１３１の出力端１３１Ｂには第２中間周波増幅器１３２の入力端１３２Ａが接続されている。第２中間周波増幅器１３２の出力端１３２Ｂは第２出力端子１３３に接続されている。
【００３６】
第１局部発振器１２６に比べて第２局部発振器１３４は第１高周波増幅器１２１に対する大きなアイソレーションを有する。また、第２局部発振器１３４に比べて第１局部発振器１２６は第２高周波増幅器１２９に対する大きなアイソレーションを有する。
【００３７】
復調回路１１９は、第１受信部１１５の出力端子１２５に接続された入力端１３９Ａを有する第１復調部１３９と、第２受信部１１８の第２出力端子１３３に接続された入力端１４０Ａを有する第２復調部１４０と、第１復調部１３９の出力端１３９Ｂと第２復調部１４０の出力端１４０Ｂに接続された合成部１３８と、合成部１３８と第１スイッチ１３６と第２スイッチ１３７を制御する制御部１５３とを有する。第１復調部１３９は第１受信部１１５が出力する信号を復調して復調信号を出力する。第２復調部１４０は第２受信部１１８が出力する信号を復調して復調信号を出力する。合成部１３８は復調部１３９、１４０が出力した復調信号を合成して信号処理部１５１に出力する。信号処理部１５１は合成部１３８が出力する信号を処理し、表示部１５２は処理された信号を基に画像と音声を出力する。
【００３８】
第１局部発振器１２６と第１分周器１２７との間にはスイッチ１３６が接続されている。スイッチ１３６は第１局部発振器１２６から出力される発振信号を第１混合器１２２と第２混合器１３０に供給するか、第１混合器１２２のみに供給してかつ第２混合器１３０に供給しないかを切り替える。すなわち、スイッチ１３６は第１局部発振器１２６から出力される発振信号を第１分周器１２７と第２分周器１３５に供給するか、第１分周器１２７のみに供給してかつ第２分周器１３５に供給しないかを切り替える。第２局部発振器１３４と第２分周器１３５との間にはスイッチ１３７が接続されている。スイッチ１３７は第１局部発振器１２６から出力された発振信号と第２局部発振器１３４から出力された発振信号とを選択的に第２混合器１３０に供給する。すなわち、スイッチ１３７は第１局部発振器１２６から出力された発振信号と第２局部発振器１３４から出力された発振信号とを選択的に第２分周器１３５に供給する。
【００３９】
第１受信部１１５と第２受信部１１８の両者を動作させて希望周波数の信号を受信するダイバシティ受信モードにおいて、第１混合器１２２と第２混合器１３０は共に、第１局部発振器１２６から出力された発振信号を用いて各々に入力された信号を周波数変換する。第２受信部１１８においては、第２局部発振器１３４の電源をオフにすることにより消費電力を低減している。
【００４０】
受信装置１１２において、局部発振器１２６の発振信号の周波数と希望周波数との和若しくは差から所定範囲内の周波数の妨害信号が第１アンテナ端子１２０から入力される場合がある。この場合、第１高周波増幅器１２１と第１局部発振器１２６のアイソレーションが十分確保出来ていないと、第１高周波増幅器１２１においてその妨害信号と第１局部発振器１２６から輻射された発振信号の周波数のノイズとが混合し希望周波数近傍に歪み信号が発生する場合がある。その妨害信号の周波数において、第１入力フィルタ１１４の信号減衰量を第２入力フィルタ１１７の信号減衰量より大きく設定する。これにより、ダイバシティ受信モードにおいて、妨害信号が第１高周波増幅器１２１に入力されることを抑制することができる。第１入力フィルタ１１４は、好ましくは妨害信号を減衰する表面弾性波フィルタである。第２入力フィルタ１１７としては低温同時焼成セラミック（ＬＴＣＣ）フィルタ若しくはディスクリートフィルタが用いられる。また、第１入力フィルタ１１４と第２入力フィルタ１１７共に、表面弾性波フィルタであってもよく、ＬＴＣＣフィルタまたはディスクリートフィルタであってもよい。これにより、第１高周波増幅器１２１において、妨害信号と第１局部発振器１２６から輻射された発振信号の周波数のノイズとが混合することを抑制することができる。その結果、第１高周波増幅器１２１における希望周波数近傍の歪み信号の発生が抑制され、受信装置１１２の受信品質を向上させることができる。
【００４１】
受信する希望波の周波数Ｆｄｘ、希望波の受信帯域幅Ｂｗ、第１混合器１２２から出力される中間周波数ＩＦｙ、第１分周器１２７の分周比Ｎｚにより局部発振器１２６の発振信号の周波数ＦＯは以下の式で表される。
【００４２】
ＦＯ＝Ｎｚ×（Ｆｄｘ±ＩＦｙ）
このとき、妨害信号の周波数ＦＩは以下の式で表される。
【００４３】
ＦＩ＝Ｎｚ×（Ｆｄｘ±ＩＦｙ）±Ｆｄｘ±Ｂｗ／２
周波数ＦＩにおいて第２入力フィルタ１１７より大きな減衰量を有する第１入力フィルタ１１４により、周波数ＦＩの妨害信号が第１高周波増幅器１２１に入力されることを抑制することができる。その結果、第１高周波増幅器１２１における希望周波数近傍の歪み信号の発生が抑制される。
【００４４】
この妨害信号の発生源は受信装置１１２を備えた電子機器１００２における他の回路であるが、妨害信号の発生源が他の電子機器であってもよい。
【００４５】
第１入力フィルタ１１４は第１受信部１１５に内蔵されていてもよい。この場合、受信装置１１２の小型化を図ることができる。
【００４６】
第１受信部１１５及び第２受信部１１８は、個別の集積回路１１５Ａ、１１８Ｂにそれぞれ形成される。または第１受信部１１５及び第２受信部１１８は１つの集積回路１１２Ａに形成されてもよい。これにより、受信装置１１２の小型化・低コスト化が可能となる。
【００４７】
なお、実施の形態２の受信装置１１２はテレビ・ラジオ放送波を受信する受信装置で説明したが、携帯電話用無線装置、ＧＰＳ、ＷＬＡＮ、Ｂｌｕｅｔｏｏｔｈ等の高周波信号受信装置にも適用可能である。
【００４８】
なお、実施の形態１による受信装置１１２は分周器１２７、１３７を備えているが、必ずしも備えなくてもよい。
【産業上の利用可能性】
【００４９】
受信装置１１２は高い受信品質を有し、自動車に搭載されるテレビや携帯端末などの電子機器に利用できる。
【図面の簡単な説明】
【００５０】
【図１】本発明の実施の形態１における受信装置のブロック図
【図２】本発明の実施の形態２における受信装置のブロック図
【図３】従来の受信装置のブロック図
【図４】他の従来の受信装置のブロック図
【符号の説明】
【００５１】
１２    受信装置
１５    第１受信部
１８    第２受信部
２０    第１アンテナ端子
２１    第１高周波増幅器
２２    第１混合器
２６    第１局部発振器
２８    第２アンテナ端子
２９    第２高周波増幅器
３０    第２混合器
３４    第２局部発振器
３８    合成部
１１２    受信装置
１１５    第１受信部
１１８    第２受信部
１２０    第１アンテナ端子
１２１    第１高周波増幅器
１２２    第１混合器
１２６    第１局部発振器
１２８    第２アンテナ端子
１２９    第２高周波増幅器
１３０    第２混合器
１３４    第２局部発振器
１３８    合成部
【手続補正３】
【補正対象書類名】図面
【補正対象項目名】全図
【補正方法】変更
【補正の内容】
【図１】
2008072451.tif 000007
【図２】
2008072451.tif 000008
【図３】
2008072451.tif 000009
【図４】
2008072451.tif 000010
【国際調査報告】
2008072451.tif 000011
2008072451.tif 000012